(57)【要約】【課題】紐穴とこぶ部及び連結部との位置を合わせる必要がなく、容易に装着できるとともに、装着後の見た目が良い紐を提供する。【解決手段】紐の両端部分に、弾性変形可能なこぶ部を複数個配置し、こぶ部が配置されていない紐の中間部分は、弾性変形可能な長尺弾性部から構成され、こぶ部とこぶ部との間、及びこぶ部と長尺弾性部との間は、こぶ部及び長尺弾性部よりも小径な連結部で連結される。【選択図】図１
2018157994.tif 000002
【特許請求の範囲】
【請求項１】
結び目を必要としないこぶ部を有する紐であって、
前記紐の両端部分、又は前記紐の両端部分と中央部分に、弾性変形可能な前記こぶ部が複数個配置されたこぶ部領域を有し、
前記こぶ部が配置されていない領域は、前記紐の軸線方向に沿って連続する弾性変形可能な長尺弾性部から構成され、
前記こぶ部と前記こぶ部との間、前記こぶ部と前記長尺弾性部長尺弾性部との間、及び前記長尺弾性部と前記長尺弾性部との間は、前記こぶ部及び前記長尺弾性部よりも小径な連結部で連結されている、
ことを特徴とするこぶ部を有する紐。
【請求項２】
前記連結部はほぼ弾性変形しない、ことを特徴とする請求項１に記載のこぶ部を有する紐。
【請求項３】
前記こぶ部領域が、前記紐の両端部分のみに形成される場合、前記長尺弾性部は、紐の中心位置で左右２つに分割されている、ことを特徴とする請求項１又は２に記載のこぶ部を有する紐。
【請求項４】
前記こぶ部の径は約７ｍｍであり、前記長尺弾性部の径は約５〜９ｍｍである、ことを特徴とする請求項１ないし３のいずれか１項に記載のこぶ部を有する紐。
【請求項５】
前記こぶ部の径に対し、前記長尺弾性部の径は０．８〜１．２倍である、ことを特徴とする請求項１ないし３のいずれか１項に記載のこぶ部を有する紐。
【請求項６】
前記こぶ部は、径の異なる複数のこぶ部から構成され、前記長尺弾性部は、最も大径のこぶ部とほぼ同径である、ことを特徴とする請求項１ないし３のいずれか１項に記載のこぶ部を有する紐。
【請求項７】
最大径の前記こぶ部の径に対し、前記長尺弾性部の径は０．８〜１．２倍である、ことを特徴とする請求項６に記載のこぶ部を有する紐。
【請求項８】
前記こぶ部は、球状、又は紡錘状、又は円柱状、又は多角柱状、又は楕円錘状、或いはその組合せである、ことを特徴とする請求項１ないし７のいずれか１項に記載のこぶ部を有する紐。
【請求項９】
前記長尺弾性部は、円柱状、又は楕円柱状、又は多角柱状である、ことを特徴とする請求項１ないし８のいずれか１項に記載のこぶ部を有する紐。
【請求項１０】
前記こぶ部を有する紐は、前記こぶ部、前記長尺弾性部、及び前記連結部を含めた全体が偏平形状である、ことを特徴とする請求項１ないし７のいずれか１項に記載のこぶ部を有する紐。
【請求項１１】
偏平形状の前記こぶ部は、平面視において円形、又は紡錘形、又は四角形、又は楕円形、或いはこれらの組合せであり、偏平形状の前記連結部及び前記長尺弾性部は、平面視において四角形である、ことを特徴とする請求項１０に記載のこぶ部を有する紐。
【請求項１２】
前記こぶ部領域が、前記紐の両端部分のみに形成される場合、前記こぶ部が配置されているこぶ部領域の長さは、左右両方の合計で、紐全体の長さの２０〜４０％である、ことを特徴とする請求項１ないし１１のいずれか１項に記載のこぶ部を有する紐。
【請求項１３】
前記こぶ部領域が、前記紐の両端部分のみに形成される場合、前記長尺弾性部の長さは、紐全体の長さの６０〜８０％である、ことを特徴とする請求項１ないし１１のいずれか１項に記載のこぶ部を有する紐。
【請求項１４】
前記こぶ部領域が、前記紐の両端部分と中央部分に形成される場合、前記こぶ部が配置されているこぶ部領域の長さの合計は、紐全体の長さの４０〜６０％である、ことを特徴とする請求項１又は２、４ないし１１のいずれか１項に記載のこぶ部を有する紐。
【請求項１５】
前記こぶ部領域が、前記紐の両端部分と中央部分に形成される場合、前記長尺弾性部の長さは、紐全体の長さの４０〜６０％である、ことを特徴とする請求項１又は２、４ないし１１のいずれか１項に記載のこぶ部を有する紐。
【請求項１６】
前記こぶ部、前記連結部、前記長尺弾性部は、同一の素材によって連続して構成されている、ことを特徴とする請求項１ないし１５のいずれか１項に記載のこぶ部を有する紐。
【発明の詳細な説明】
【技術分野】
【０００１】
本発明は、結び目を必要としないこぶ部を有する紐に関する。
【背景技術】
【０００２】
弾性変形可能なこぶ部を有する紐は、結び目を必要としない紐として、従来から知られている。具体的には、図４に示すように、紐１の軸線方向から張力を加えることで軸線方向に弾性変形可能なこぶ部２と、当該こぶ部同士を連結する連結部３から構成されるものであり、下記特許文献１〜３に示す２つの構造が主流となっている。
【０００３】
図５は、こぶ部２を有する紐を、靴紐に適用した斜視図である。靴紐として使用する際は、靴に形成された紐穴に挿通して装着する。紐に張力を加えていない自然状態ではこぶ部２の径は紐穴より大きいが、紐を強く引っ張ることでこぶ部が弾性変形して紐穴を貫通し、貫通後、張力を開放するとこぶ部２が自然状態に復元して紐穴に引っかかる状態となるため、紐による締付け具合の緩みが生じないようになっている。靴を履く際、或いは靴を脱ぐ際は、こぶ部が弾性変形することで靴全体も拡大変化するため、いちいち紐を結んだり緩めたりする必要が無い。なお、連結部３は、通常の靴紐と同様にほとんど弾性変形しないようになっている。
【０００４】
特許文献１〜３に示す従来のこぶ部を有する紐は、いずれも同一形状又は径の異なるこぶ部２が、紐１の全長に渡って設けられており、こぶ部２の位置を調整することで締め具合を調整している。
【先行技術文献】
【特許文献】
【０００５】
【特許文献１】特許第３４９３００２号公報
【特許文献２】特許第５０７９９２６号公報
【特許文献３】特許第５３９２５１９号公報
【発明の概要】
【発明が解決しようとする課題】
【０００６】
従来のこぶ部を有する紐は、上記のとおり紐１の全長に渡ってこぶ部２が形成されているため、紐穴の位置は必ず連結部３とすることが必要となり、位置合わせが面倒であるとともに、図２に示すように、靴上に多くのこぶ部２が現れるため、見た目も悪いと言う問題があった。
【課題を解決するための手段】
【０００７】
本件発明は、上記した従来技術が有する課題を解決するため、結び目を必要としないこぶ部を有する紐であって、前記紐の両端部分、又は前記紐の両端部分と中央部分に、弾性変形可能な前記こぶ部が複数個配置されたこぶ部領域を有し、前記こぶ部が配置されていない領域は、前記紐の軸線方向に沿って連続する弾性変形可能な長尺弾性部から構成され、前記こぶ部と前記こぶ部との間、前記こぶ部と前記長尺弾性部との間、及び前記長尺弾性部と前記長尺弾性部との間は、前記こぶ部及び前記長尺弾性部よりも小径な連結部で連結されている、長尺弾性部長尺弾性部長尺弾性部ことを特徴とする。
【発明の効果】
【０００８】
上記構成を有する本願発明によれば、紐穴に対して抵抗力を持たせた長尺弾性部によって、任意の位置で紐を止めることができ、装着が容易となるとともに、靴紐として使用する場合、靴上に現れる紐のほとんどにこぶ部が無いため、見た目もすっきりとして、通常の靴紐を装着しているのと変わりが無いようにすることができる。
【図面の簡単な説明】
【０００９】
【図１】本発明の第一実施形態に係るこぶ部を有する紐を模式的に説明するための図。
【図２】本発明の第二実施形態に係るこぶ部を有する紐を模式的に説明するための図。
【図３】本発明の第三実施形態に係るこぶ部を有する紐を模式的に説明するための図。
【図４】本発明の第四実施形態に係るこぶ部を有する紐を模式的に説明するための図。
【図５】従来のこぶ部を有する紐の一例を示す斜視図。
【図６】従来のこぶ部を有する紐を靴に適用した使用例を示す図。
【発明を実施するための形態】
【００１０】
以下、本発明の各実施形態について図面を用いて詳細に説明する。なお、本発明はこれらの実施形態に何ら限定されるものではなく、その要旨を逸脱しない範囲内において、様々な態様で実施し得る。
【００１１】
図１は、本発明の第一実施形態に係るこぶ部を有する紐を概念的に説明するための模式図である。紐１は、その左右両端部分に、適宜間隔を置いて同一径の球状からなる複数のこぶ部２を有し（こぶ部領域Ａ）、中間部分は紐１の軸線方向に沿って連続する円柱状の長尺弾性部４からなり、各こぶ部２及びこぶ部２と長尺弾性部４との間は、円柱状の連結部３で連結されている。図１では、こぶ部領域Ａに、３つのこぶ部２を有する例を示しているが、あくまで模式的な図であって、左右それぞれ３〜８個程度あれば良い。また、こぶ部２が配置されているこぶ部領域Ａの長さは、左右両方の合計で、紐１の全体長さの２０〜４０％程度であることが望ましく、また長尺弾性部４の長さは、紐全体の長さの６０〜８０％程度であることが望ましい。
【００１２】
またこぶ部２と長尺弾性部４の径はほぼ同一であり、こぶ部２及び長尺弾性部４は、紐を左右から引っ張った場合、軸線方向に弾性変形、即ち、長さ方向に延び、径が縮小し、張力を開放した場合、元の形状に復帰するように構成されており、連結部３はほとんど弾性変形しないようになっている。なお、長尺弾性部４の径は、こぶ部２の径に対し、ほぼ同一或いは０．８〜１．２程度の範囲とすることが望ましい。
【００１３】
本実施形態に係る紐は、こぶ部２、連結部３、及び長尺弾性部４は、伸縮性のある同一の繊維素材を用い、機械によって当該繊維素材を連続して編み込むものであるが、こぶ部２と長尺弾性部４は繊維素材の伸びを十分発揮して弾性変形可能なように疎に編み、連結部３は繊維素材に張力を加えて伸びきった状態で強く密に編み込むことで、軸線方向に伸びないよう（ほとんど弾性変形しないよう）に製造する。なお、この製造方法は一例に過ぎず、例えば連結部３を更に強固にするために、合成樹脂製接着剤を含浸させて固化してもよく、その他の方法によっても製造可能である。
【００１４】
本実施形態の紐を靴紐とする場合、こぶ部２、連結部３、長尺弾性部４の径は、靴の紐穴との関係で適宜に決定する。例えば、一般的にスニーカーや運動靴の紐穴の径は約２〜４ｍｍ程度であるため、標準タイプの紐は、こぶ部２及び長尺弾性部４の径は７ｍｍ前後とすることが望ましい。こぶ部２及び長尺弾性部４は、使用者が紐を引っ張ることで弾性変形し、靴の紐穴を通過できるようになっている。なお、連結部３の径は紐穴よりも小さな径である。
【００１５】
本実施形態に係る紐を靴紐として使用し、使用者が靴に装着する場合について説明する。使用者は、紐の左右両先端を紐穴に通し、紐穴との摩擦力に抗して強く引っ張ることで、こぶ部２と長尺弾性部４を紐穴に順次通して行く。その際、長尺弾性部４は、紐穴よりも大径であるため、その弾性変形によって紐穴との間で所定の摩擦力が生じ、一定の固定力を有することになる。全ての紐を所望の状態となるよう靴穴に通し終わった際、最上位の紐穴の前後にはこぶ部２が位置し、紐穴から容易に抜けないようになっている。
【００１６】
紐１を紐穴に通す過程において、従来技術ではこぶ部２を一つ一つ紐穴に通して行くとともに、所望の位置になっているかどうかを一つ一つ確認する必要があった。例えば１個のこぶ部２の位置がずれていた場合、既に通し終わった他のこぶ部２も、再度、紐穴を通して適宜の位置に持ってくる必要があり、かなり面倒な作業を要していた。
【００１７】
これに対し本願発明では、紐１の大部分を占める長尺弾性部４と紐穴との関係により位置調整するため、使用者は長尺弾性部４を把持して引っ張るだけで所望の位置合わせが出来るため、装着作業をかなり楽に行うことができる。
【００１８】
図２は、本発明の第二実施形態に係るこぶ部を有する紐を概念的に説明するための模式図である。第二実施形態の紐１が第一実施形態の紐１と相違する点は、長尺弾性部４が紐の中心位置で、連結部３を介して左右２つに分割されている点である。
【００１９】
紐の中心位置は紐穴に通らない部分であるため固定機能が不要な箇所であり、使用者は紐１を靴に装着する際、左右分割位置によって紐１の中心位置を容易に認識することができ、左右の長さを調整する紐通し作業を楽に行うことができる。その他の構造は、第一実施形態と同様である。
【００２０】
図３は、本発明の第三実施形態に係るこぶ部を有する紐を概念的に説明するための模式図である。第三実施形態の紐１が第一、第二実施形態の紐１と相違する点は、こぶ部２の径が、大径のものと小径のものの２種類から構成されている点である。
【００２１】
靴紐として使用する際、図５に示す通り、紐の先端部分のこぶ部２は紐穴から大きく飛び出しており、通常の大きさの靴であれば固定機能を果たしていないため、紐穴に通す装着時の負荷を軽減する目的で、先頭部分のいくつかのこぶ部２−１は小径とし、紐穴との間で固定機能を果たす部分のこぶ部２−２を大径としたものである。本実施形態において、長尺弾性部４の径は、大径のこぶ部２−２の径に対し、ほぼ同一或いは０．８〜１．２程度の範囲とすることが望ましい。
【００２２】
なお、小径のこぶ部２−１であっても、紐穴よりは大径であり、大径のこぶ部２−２よりは小さいものの一定の固定力を有しており、紐が紐穴から抜け出すことを防止するものである。例えば、非常に大きな靴や足の甲が異常に高い者等が使用する場合、小径のこぶ部２−１によって最後の紐穴と固定することができる。
【００２３】
なお、本実施形態において、長尺弾性部４は、第二実施形態と同様に、中心位置で左右２つに分割されていても良く、またこぶ部２の径は、大小２種に限らず、３種以上の径であっても良い。その他の構造は、第一実施形態と同様である。
【００２４】
図４は、本発明の第四実施形態に係るこぶ部を有する紐を概念的に説明するための模式図である。第四実施形態の紐１が第一、第二、第三実施形態の紐１と相違する点は、こぶ部２が配置されているこぶ部領域が、紐１の左右両端部分とともに、中央部分にも配置されている点である。
【００２５】
本実施形態の紐１を靴紐として使用する場合、靴のつま先側と甲側の紐穴はこぶ部とこぶ部の間で固定され、それ以外の中間位置にある紐穴は長尺弾性部４との摩擦によって固定される。即ち、しっかりと固定したい靴のつま先側と甲側のみをこぶ部とこぶ部の間で固定するようにし、それ以外は長尺弾性部４によって固定するようにしたものである。
【００２６】
なお本実施形態において、こぶ部２が配置されているこぶ部領域Ａの長さは、両端及び中央の合計で、紐１の全体長さの４０〜６０％程度であることが望ましく、また長尺弾性部４の長さは、紐全体の長さの４０〜６０％程度であることが望ましい。なお、その他の構造は、第一実施形態と同様である。
【００２７】
上記各実施形態において、こぶ部２は球体、連結部３及び長尺弾性部４は、いずれも円柱状のものとして説明したが、こぶ部１の形状は球体に限らず、紡錘状、又は円柱状、又は多角柱状、又は楕円錘状等であっても良く、連結部３及び長尺弾性部４の形状は、円柱に限らず楕円柱や多角柱等であっても良い。
【００２８】
また、こぶ部２、連結部３、長尺弾性部４を含めた紐１の全体が、偏平な形状であっても良い。その場合、平面視において、こぶ部１は、円形、又は紡錘形、又は四角形、又は楕円形等となり、連結部３及び長尺弾性部４は四角形（長方形）となる。
【００２９】
以上のとおり、本願発明によれば、長尺弾性部４が多くの紐穴との間で摩擦により固定されるため、紐を任意の位置で固定することが可能となり、従来技術のように、こぶ部２及び連結部３の位置をいちいち紐穴との関係で調整する必要が無い。また長尺弾性部４は、通常の靴紐と比べて若干太いものの、見た目は通常の靴紐と変わらないため、見た目もすっきりとした印象を与えることができる。
【００３０】
なお本明細書では、紐１を靴紐として使用する場合について説明したが、靴紐に限らず、あらゆる紐に適用可能である。  
【符号の説明】
【００３１】
１  紐
２  こぶ部
３  連結部
４  長尺長尺弾性部
Ａ  こぶ部領域
【図１】
2018157994.tif 000003
【図２】
2018157994.tif 000004
【図３】
2018157994.tif 000005
【図４】
2018157994.tif 000006
【図５】
2018157994.tif 000007
【図６】
2018157994.tif 000008